【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
第１のチャネルおよび第２のチャネルを含む無線通信チャネルグループをモニタして、モニタ出力を生成する段階と、
第１の待ち期間と、前記第１の待ち期間より短い第２の待ち期間とを前記モニタ出力に適用して、前記第１のチャネルの第１の送信期間を決定する段階と、
前記第１の待ち期間および前記第２の待ち期間を前記モニタ出力に適用して、前記第１の送信期間の最後に最後が合わせられた前記第２のチャネルの第２の送信期間を決定する段階と、
前記第１の送信期間に基づいて、前記第１のチャネルで第１の送信をして、前記無線通信チャネルグループを保留する段階と、
前記第２の送信期間に基づいて、前記第２のチャネルで第２の送信をする段階と、
前記第１の送信期間の前記最後の後に、１以上の承認をモニタする段階と
を備える方法。
【請求項２】
前記第１の送信期間を決定する段階は、
前記第１の待ち期間に基づく期間中に、前記第１のチャネル上のトラフィックの存在を示す前記モニタ出力に呼応して、前記第２の待ち期間の最後に基づいて前記第１の送信期間を決定する段階を含む請求項１に記載の方法。
【請求項３】
前記第２の送信期間を決定する段階は、
前記第１の待ち期間に基づく期間中に、前記第２のチャネル上のトラフィックの存在を示す前記モニタ出力に呼応して、前記第２の待ち期間の最後に基づいて前記第２の送信期間を決定する段階を含む請求項１または２に記載の方法。
【請求項４】
前記第１の送信を送信する段階は、
第１の無線通信規格に基づく通信用に設定されている第１の無線通信デバイスに送信を行う段階を含み、
前記第２の送信を送信する段階は、
第２の無線通信規格に基づく通信用に設定されている第２の無線通信デバイスに送信を行う段階を含み、前記第１の無線通信規格および前記第２の無線通信規格のそれぞれで前記第１のチャネルが利用される請求項１から３の何れか１項に記載の方法。
【請求項５】
前記第１の送信は、前記第１の送信の長さを示すフィールドを含み、
前記方法は、前記フィールドを、ダウンリンクの直交周波数分割多重接続送信を示すよう設定する段階を備える請求項４に記載の方法。
【請求項６】
前記第１の送信および前記第２の送信は、同じ無線通信デバイスに送信される請求項１から５の何れか１項に記載の方法。
【請求項７】
前記無線通信チャネルは、８０ＭＨｚ、１２０ＭＨｚ、または１６０ＭＨｚの帯域幅に基づく通信用に設定された重複する基本サービスセットに関連付けられている請求項１から６の何れか１項に記載の方法。
【請求項８】
第１のチャネルおよび第２のチャネルを含む無線通信チャネルグループにアクセスする回路と、
プロセッサエレクトロニクスと
を備え、
前記プロセッサエレクトロニクスは、
前記無線通信チャネルグループをモニタして、モニタ出力を生成して、
第１の待ち期間と、前記第１の待ち期間より短い第２の待ち期間とを前記モニタ出力に適用して、前記第１のチャネルの第１の送信期間を決定して、
前記第１の待ち期間および前記第２の待ち期間を前記モニタ出力に適用して、前記第１の送信期間の最後に最後が合わせられた前記第２のチャネルの第２の送信期間を決定して、
前記第１の送信期間に基づいて、前記第１のチャネルでの第１の送信を制御して、前記無線通信チャネルグループを保留して、
前記第２の送信期間に基づいて、前記第２のチャネルでの第２の送信を制御して、
前記第１の送信期間の前記最後の後に、１以上の承認をモニタする、装置。
【請求項９】
前記プロセッサエレクトロニクスは、前記第１の待ち期間に基づく期間中に、前記第１のチャネル上のトラフィックの存在を示す前記モニタ出力に呼応して、前記第２の待ち期間の最後に基づいて前記第１の送信期間を決定する請求項８に記載の装置。
【請求項１０】
前記プロセッサエレクトロニクスは、前記第１の待ち期間に基づく期間中に、前記第２のチャネル上のトラフィックの存在を示す前記モニタ出力に呼応して、前記第２の待ち期間の最後に基づいて前記第２の送信期間を決定する請求項８または９に記載の装置。
【請求項１１】
前記第１の送信は、第１の無線通信規格に基づく通信用に設定されている第１の無線通信デバイスに送信され、
前記第２の送信は、第２の無線通信規格に基づく通信用に設定されている第２の無線通信デバイスに送信され、前記第１の無線通信規格および前記第２の無線通信規格のそれぞれで前記第１のチャネルが利用される請求項８から１０の何れか１項に記載の装置。
【請求項１２】
前記第１の送信は、前記第１の送信の長さを示すフィールドを含み、
前記プロセッサエレクトロニクスは、前記フィールドを、ダウンリンクの直交周波数分割多重接続送信を示すよう設定する請求項１１に記載の装置。
【請求項１３】
前記第１の送信と前記第２の送信とは同じ無線通信デバイスに送信される請求項８から１２の何れか１項に記載の装置。
【請求項１４】
前記無線通信チャネルは、８０ＭＨｚ、１２０ＭＨｚ、または１６０ＭＨｚの帯域幅に基づく通信用に設定された重複する基本サービスセットに関連付けられている請求項８から１３の何れか１項に記載の装置。
【請求項１５】
第１のチャネルおよび第２のチャネルを含む無線通信チャネルグループで送受信する回路と、
プロセッサエレクトロニクスと
を備え、
前記プロセッサエレクトロニクスは、
第１のチャネルおよび第２のチャネルを含む無線通信チャネルグループをモニタして、モニタ出力を生成する段階と、
第１の待ち期間と、前記第１の待ち期間より短い第２の待ち期間とを前記モニタ出力に適用して、前記第１のチャネルの第１の送信期間を決定する段階と、
前記第１の待ち期間および前記第２の待ち期間を前記モニタ出力に適用して、前記第１の送信期間の最後に最後が合わせられた前記第２のチャネルの第２の送信期間を決定する段階と、
前記第１の送信期間に基づいて、前記第１のチャネルでの第１の送信を制御して、前記無線通信チャネルグループを保留する段階と、
前記第２の送信期間に基づいて、前記第２のチャネルでの第２の送信を制御する段階と、
前記第１の送信期間の前記最後の後に、１以上の承認をモニタする段階とを含む処理を実行する、システム。
【請求項１６】
前記第１の送信期間を決定する段階は、
前記プロセッサエレクトロニクスが、前記第１の待ちに基づく期間中に、前記第１のチャネル上のトラフィックの存在を示す前記モニタ出力に呼応して、前記第２の待ち期間の最後に基づいて前記第１の送信期間を決定する請求項１５に記載のシステム。
【請求項１７】
前記第２の送信期間を決定する段階は、
前記プロセッサエレクトロニクスが、前記第１の待ち期間に基づく期間中に、前記第２のチャネル上のトラフィックの存在を示す前記モニタ出力に呼応して、前記第２の待ち期間の最後に基づいて前記第２の送信期間を決定する請求項１５または１６に記載のシステム。
【請求項１８】
前記第１の送信は、第１の無線通信規格に基づく通信用に設定されている第１の無線通信デバイスに送信することを含み、
前記第２の送信は、第２の無線通信規格に基づく通信用に設定されている第２の無線通信デバイスに送信することを含み、前記第１の無線通信規格および前記第２の無線通信規格のそれぞれで前記第１のチャネルが利用される請求項１５から１７の何れか１項に記載のシステム。
【請求項１９】
前記第１の送信は、前記第１の送信の長さを示すフィールドを含み、
前記処理は、前記フィールドを、ダウンリンクの直交周波数分割多重接続送信を示すよう設定することを含む請求項１８に記載のシステム。
【請求項２０】
前記第１の送信と前記第２の送信とは同じ無線通信デバイスに送信される請求項１５から１９の何れか１項に記載のシステム。
【請求項２１】
前記無線通信チャネルは、８０ＭＨｚ、１２０ＭＨｚ、または１６０ＭＨｚの帯域幅に基づく通信用に設定された重複する基本サービスセットに関連付けられている請求項１５から２０の何れか１項に記載のシステム。
【手続補正２】
【補正対象書類名】明細書
【補正対象項目名】００８４
【補正方法】変更
【補正の内容】
【００８４】
他の実施形態も、以下の請求項の範囲内に含まれる。
［項目１］
第１のチャネルおよび第２のチャネルを含む無線通信チャネルをモニタして、モニタ出力を生成する段階と、
第１のフレーム間空間（ＩＦＳ）期間と、前記第１のＩＦＳ期間より短い第２のＩＦＳ期間とを前記モニタ出力に適用して、前記第１のチャネルの第１の送信期間を決定する段階と、
前記第１のＩＦＳ期間および前記第２のＩＦＳ期間を前記モニタ出力に適用して、前記第１の送信期間の最後に最後が合わせられた前記第２のチャネルの第２の送信期間を決定する段階と、
前記第１の送信期間に基づいて、前記第１のチャネルで第１のパケットを送信して、１以上の無線通信デバイスに、前記第１のパケットの受信に基づいて前記第１のチャネルおよび前記第２のチャネルのための送信保護期間を設定させる段階と、
前記第２の送信期間に基づいて、前記第２のチャネルで第２のパケットを送信する段階と、
前記第１の送信期間の前記最後の後に、１以上の承認をモニタする段階とを備える方法。
［項目２］
前記第１のＩＦＳ期間は、調停ＩＦＳ（ＡＩＦＳ）期間であり、
前記第２のＩＦＳ期間は、ポイント調整機能ＩＦＳ（ＰＩＦＳ）期間であり、
前記無線通信チャネルをモニタする段階は、
前記第１のＩＦＳ期間および前記第２のＩＦＳ期間に関する前記無線通信チャネル上の無線トラフィックをモニタする段階を含む項目１に記載の方法。
［項目３］
前記第１の送信期間を決定する段階は、
前記ＡＩＦＳ期間に基づく期間中に、前記第１のチャネル上のトラフィックの存在を示す前記モニタ出力に呼応して、前記ＰＩＦＳ期間の最後に基づいて前記第１の送信期間を決定する段階を含む項目２に記載の方法。
［項目４］
前記第２の送信期間を決定する段階は、
前記ＡＩＦＳ期間に基づく期間中に、前記第２のチャネル上のトラフィックの存在を示す前記モニタ出力に呼応して、前記ＰＩＦＳ期間の最後に基づいて前記第２の送信期間を決定する段階を含む項目２に記載の方法。
［項目５］
前記第１のパケットを送信する段階は、
第１の無線通信規格に基づく通信用に設定されている第１の無線通信デバイスに送信を行う段階を含み、
前記第２のパケットを送信する段階は、
第２の無線通信規格に基づく通信用に設定されている第２の無線通信デバイスに送信を行う段階を含み、前記第１の無線通信規格および前記第２の無線通信規格のそれぞれで前記第１のチャネルが利用される項目１に記載の方法。
［項目６］
前記第１のパケットは、前記第１のパケットの長さを示すフィールドを含み、
前記方法はさらに、前記フィールドを、ダウンリンクの直交周波数分割多重接続送信を示すよう設定する段階を備える項目５に記載の方法。
［項目７］
前記第１のパケットを送信する段階は、
無線通信デバイスに送信する段階を含み、
前記第２のパケットを送信する段階は、
前記無線通信デバイスに送信する段階を含み、
前記無線通信チャネルは、８０ＭＨｚ、１２０ＭＨｚ、または１６０ＭＨｚの帯域幅に基づく通信用に設定された重複する基本サービスセット（ＯＢＳＳ）に関連付けられている項目１に記載の方法。
［項目８］
第１のチャネルおよび第２のチャネルを含む無線通信チャネルにアクセスする回路と、
プロセッサエレクトロニクスとを備え、
前記プロセッサエレクトロニクスは、
前記無線通信チャネルをモニタして、モニタ出力を生成して、
第１のフレーム間空間（ＩＦＳ）期間と、前記第１のＩＦＳ期間より短い第２のＩＦＳ期間とを前記モニタ出力に適用して、前記第１のチャネルの第１の送信期間を決定して、
前記第１のＩＦＳ期間および前記第２のＩＦＳ期間を前記モニタ出力に適用して、前記第１の送信期間の最後に最後が合わせられた前記第２のチャネルの第２の送信期間を決定して、
前記第１の送信期間に基づいて、前記第１のチャネルでの第１のパケットの送信を制御して、１以上の無線通信デバイスに、前記第１のパケットの受信に基づいて前記第１のチャネルおよび前記第２のチャネルのための送信保護期間を設定させ、
前記第２の送信期間に基づいて、前記第２のチャネルでの第２のパケットの送信を制御して、
前記第１の送信期間の前記最後の後に、１以上の承認をモニタする、装置。
［項目９］
前記第１のＩＦＳ期間は、調停ＩＦＳ（ＡＩＦＳ）期間であり、
前記第２のＩＦＳ期間は、ポイント調整機能ＩＦＳ（ＰＩＦＳ）期間であり、
前記プロセッサエレクトロニクスは、
前記第１のＩＦＳ期間および前記第２のＩＦＳ期間に関する前記無線通信チャネル上の無線トラフィックをモニタする項目８に記載の装置。
［項目１０］
前記プロセッサエレクトロニクスは、前記ＡＩＦＳ期間に基づく期間中に、前記第１のチャネル上のトラフィックの存在を示す前記モニタ出力に呼応して、前記ＰＩＦＳ期間の最後に基づいて前記第１の送信期間を決定する項目９に記載の装置。
［項目１１］
前記プロセッサエレクトロニクスは、前記ＡＩＦＳ期間に基づく期間中に、前記第２のチャネル上のトラフィックの存在を示す前記モニタ出力に呼応して、前記ＰＩＦＳ期間の最後に基づいて前記第２の送信期間を決定する項目９に記載の装置。
［項目１２］
前記第１のパケットは、第１の無線通信規格に基づく通信用に設定されている第１の無線通信デバイスに送信され、
前記第２のパケットは、第２の無線通信規格に基づく通信用に設定されている第２の無線通信デバイスに送信され、前記第１の無線通信規格および前記第２の無線通信規格のそれぞれで前記第１のチャネルが利用される項目８に記載の装置。
［項目１３］
前記第１のパケットは、前記第１のパケットの長さを示すフィールドを含み、
前記プロセッサエレクトロニクスは、前記フィールドを、ダウンリンクの直交周波数分割多重接続送信を示すよう設定する項目１２に記載の装置。
［項目１４］
前記第１のパケットと前記第２のパケットとは同じ無線通信デバイスに送信され、
前記無線通信チャネルは、８０ＭＨｚ、１２０ＭＨｚ、または１６０ＭＨｚの帯域幅に基づく通信用に設定された重複する基本サービスセット（ＯＢＳＳ）に関連付けられている項目８に記載の装置。
［項目１５］
第１のチャネルおよび第２のチャネルを含む無線通信チャネルで送受信する回路と、
プロセッサエレクトロニクスとを備え、
前記プロセッサエレクトロニクスは、
前記無線通信チャネルをモニタして、モニタ出力を生成して、
第１のフレーム間空間（ＩＦＳ）期間と、前記第１のＩＦＳ期間より短い第２のＩＦＳ期間とを前記モニタ出力に適用して、前記第１のチャネルの第１の送信期間を決定して、
前記第１のＩＦＳ期間および前記第２のＩＦＳ期間を前記モニタ出力に適用して、前記第１の送信期間の最後に最後が合わせられた前記第２のチャネルの第２の送信期間を決定して、
前記第１の送信期間に基づいて、前記第１のチャネルでの第１のパケットの送信を制御して、１以上の無線通信デバイスに、前記第１のパケットの受信に基づいて前記第１のチャネルおよび前記第２のチャネルのための送信保護期間を設定させ、
前記第２の送信期間に基づいて、前記第２のチャネルでの第２のパケットの送信を制御して、
前記第１の送信期間の前記最後の後に、１以上の承認をモニタする、システム。
［項目１６］
前記第１のＩＦＳ期間は、調停ＩＦＳ（ＡＩＦＳ）期間であり、
前記第２のＩＦＳ期間は、ポイント調整機能ＩＦＳ（ＰＩＦＳ）期間であり、
前記プロセッサエレクトロニクスは、
前記第１のＩＦＳ期間および前記第２のＩＦＳ期間に関する前記無線通信チャネル上の無線トラフィックをモニタする項目１５に記載のシステム。
［項目１７］
前記プロセッサエレクトロニクスは、前記ＡＩＦＳ期間に基づく期間中に、前記第１のチャネル上のトラフィックの存在を示す前記モニタ出力に呼応して、前記ＰＩＦＳ期間の最後に基づいて前記第１の送信期間を決定する項目１６に記載のシステム。
［項目１８］
前記プロセッサエレクトロニクスは、前記ＡＩＦＳ期間に基づく期間中に、前記第２のチャネル上のトラフィックの存在を示す前記モニタ出力に呼応して、前記ＰＩＦＳ期間の最後に基づいて前記第２の送信期間を決定する項目１６に記載のシステム。
［項目１９］
前記第１のパケットは、第１の無線通信規格に基づく通信用に設定されている第１の無線通信デバイスに送信され、
前記第２のパケットは、第２の無線通信規格に基づく通信用に設定されている第２の無線通信デバイスに送信され、前記第１の無線通信規格および前記第２の無線通信規格のそれぞれで前記第１のチャネルが利用される項目１５に記載のシステム。
［項目２０］
前記第１のパケットは、前記第１のパケットの長さを示すフィールドを含み、
前記プロセッサエレクトロニクスは、前記フィールドを、ダウンリンクの直交周波数分割多重接続送信を示すよう設定する項目１９に記載のシステム。
［項目２１］
前記第１のパケットと前記第２のパケットとは同じ無線通信デバイスに送信され、
前記無線通信チャネルは、８０ＭＨｚ、１２０ＭＨｚ、または１６０ＭＨｚの帯域幅に基づく通信用に設定された重複する基本サービスセット（ＯＢＳＳ）に関連付けられている項目１５に記載のシステム。